(57)【特許請求の範囲】
【請求項１】
平坦かつ可撓性のバンド（２）を少なくとも１つの骨部分（３）上に取り付けるための用具（１、４７）であって、２つの端部分（２’、２”）を有する前記バンド、貫通開口部（１１）を有する剛性の基盤本体（５）、及び前記開口部内に挿入されうるところの保持用構成要素（１２）を備えている上記用具において、保持用構成要素（１２）は、可撓性のバンドの前記対向する端部分（２’、２”）の通過のための中央穴（１３）備え、少なくとも部分的に絞り得るくさび形の形状であり、前記穴（１３）は、該構成要素が該開口部内へ挿入されていないときの端部分（２’、２”）の自由な通過のための第１断面（Ｓ１）と、該構成要素が該開口部内に全体的又は実質的に全体的に挿入されるときの圧縮によって前記端部分を閉塞するための第２断面（Ｓ２）との間で変形しうる断面を有し、
該開口部（１１）の内側面及び該構成要素（１２）の外側周辺面は、スナップフィット動作によって相互に予備接続するための手段（３６）を備えていることを特徴とする、
上記用具。
【請求項２】
軸（６）の回りに延在している基盤本体（５）で、該開口部（１１）は、底辺からの第１角度ａを有する第１軸方向平面（１８、３５）において等脚台形又は実質的に等脚台形であるところの第１縦方向断面を有しており、そして、保持用構成要素（１２）は、底辺からの第２角度ｂ＞ａを有する前記第１軸方向平面（１８、３５）において等脚台形又は実質的に等脚台形であるところの第２縦方向断面を有していることを特徴とする、請求項１に記載の用具。
【請求項３】
保持用構成要素（１２）は、２つの反対向きの主縦方向壁（１５）及び２つの反対向きの長手方向端部壁（１７）を備え、前記端部壁の部分に配設されているところの連続スリット（４８）を備えている長手方向端部壁（１７）の各々は、穴に対して開かれ、且つ該構成要素（１２）の上方面（４５）に開いていることを特徴とする、請求項１又は２に記載の用具。
【請求項４】
該保持用構成要素（４７）は、２つの端部壁（１７）を備え、該各端部壁（１７）が該構成要素の高さＨよりも低い高さｈ１に沿うスリット（４８）を備えていることを特徴とする、請求項１〜３のいずれか１項に記載の用具。
【請求項５】
該本体（５）の該開口部（１１）の内側面及び該構成要素（１２）の外側周辺面は、該構成要素が該開口部内に挿入されるとき、該構成要素（１２）を該本体（５）に対して閉塞するためのシステムを構成する手段を有することを特徴とする、請求項１〜４のいずれか１項に記載の用具。
【請求項６】
該穴（１３）及び該構成要素（１２）の各々は、該開口部についての２つの対向する内側縦方向面、及び該構成要素についての２つの反対向きの外側周囲縦方向面を規定する対称の縦方向平面（１８、３５）をそれぞれ有し、各反対向きの面は、該構成要素（１２）を該本体（５）に対して固定しかつ閉塞するために、少なくとも１つの歯（１６、３６）又は隆起部を備える少なくとも１つの部分を有することを特徴とする、請求項４又は５に記載の用具。
【請求項７】
該穴（１３）は、楕円形状の断面を有し、かつ２つの対向する主壁（１９）を有し、少なくとも１つの主壁は、その内側面上に、少なくとも１つの内側に突出する横方向隆起部（２０）を含むことを特徴とする、請求項１〜６のいずれか１項に記載の用具。
【請求項８】
該横方向隆起部（２０）は、該穴の上方縦部分に置かれていることを特徴とする、請求項６に記載の用具。
【請求項９】
該穴（１３）および保持用構成要素（１２）は、該構成要素が該開口部内に挿入されるときに、それらの対向する部分の少なくとも１つの、第１縦平面（１８）に垂直な方向への摩擦によって協働するように設計された形状であることを特徴とする、請求項１〜８のいずれか１項に記載の用具。
【請求項１０】
該構成要素（１２）は、該穴（１３）によって中空にされた、一般的に楕円形状のコア部を有し、コア部は、くさびを形成する２つの対向する傾斜した主壁（１５）及び軸の回りに延在する２つの端部壁（１７）を備え、それら壁の面は、該開口部（１１）の対応する窪み部分と縦方向に協働するように配設されており、主壁と端部壁との間の接続部（２２）の厚さは、該構成要素の該開口部内への挿入の間、縦方向への変形なしに横方向への絞りによって変形を可能にするために、減らされていることを特徴とする、請求項１〜９のいずれか１項に記載の用具。
【請求項１１】
基盤本体（５）はチタンで作られ、保持用構成要素（１２）はポリマーで作られ、そして可撓性のバンド（２）はポリマーの編み紐であることを特徴とする、請求項１〜９のいずれか１項に記載の用具。
【発明の詳細な説明】
【技術分野】
【０００１】
本発明は、少なくとも１つの骨部分に平坦かつ可撓性のバンドを取り付けるための用具に関する。
【０００２】
それはまた、そのような用具を用いて平坦かつ可撓性のバンドを取り付けるための方法に関する。
【背景技術】
【０００３】
それは、脊柱の強化において、及び特に怪我の場合の２つの椎骨の結合において特に重要であるが、これに限らない応用を有する。
【０００４】
椎間板は、圧縮、ヘルニア形成、又は関節炎椎間変性を受けうることは公知である。
【０００５】
患者を管理するために、外科的介入を必要とする技術が存在する。
【０００６】
第一の技術は、損傷を受けた椎間板を人工椎間板で置き換えることを含む。そのような置き換え手術は、外科医にとって、人口器官が最大の湾曲の位置にあるときに、特に生じる顕著なせん断力の影響の下で、実施し弛緩のリスクを取ることは困難である。
【０００７】
第二の技術は、椎間関節固定術の実施を含んでおり、それによる手術は、損傷を受けた椎間板に隣接する２つの椎骨が融合されうる。これは、関連した２つの椎骨の間の任意の可動性を抑制することにより、椎間板の変性を阻止する。
【０００８】
そのような技術は、２つの椎骨を安定化させるための用具の使用を伴い、上記用具は一般に、椎骨内にねじ入れられ、且つ剛性の接続部材によって相互に接続されることを意図されているところのねじを有する。このようにして、椎間板へ加えられる過剰な機械的応力を回避することは可能である。
【０００９】
ここで再び、特に椎骨内にねじ入れることを必要とする点において不利な点が存在し、それは、関係する椎骨を弱めるところの構造的に侵攻的な手術であり、またそれは、もし上記椎骨が弱い状況にあり、及び／又は取り付け領域において十分に幅広でないと、事実上不可能である。
【００１０】
別の技術は留め金の使用を含む。しかし、このアプローチは、患者を麻痺させることを回避するために手術をする外科医が脊髄に触れてならないので、非常に微妙なものである。これらはまた、留め金の滑り及び／又は留め金が緩くなることのリスクである。
【発明の概要】
【発明が解決しようとする課題】
【００１１】
本発明は、骨部分に取り付けるのに役立つ、及び従来から知られた用具よりも実際に生じるところの要求、特に少なくとも２つの骨部分を相互に取り付けることに限定されないよう、に合うことにおいて、それはより大きな可撓性を可能にし、それは骨の中への如何なる侵入をも回避し、そしてそれは、椎骨上での滑り及び／又は張力の弛緩のリスクを課されない、これら全てを低コスト及び／又は従来技術の用具よりもより低いコストで、より良い用具を利用可能にすることを目的とする。
【００１２】
それはまた、可撓性のバンドの容易な取り扱いを可能にし、外科医によって該バンドが骨部分の周りに容易に置かれうるという有利な点を有する。
【課題を解決するための手段】
【００１３】
この目的のために、本発明は特に、平坦かつ可撓性のバンドを少なくとも１つの骨部分上に取り付けるための用具であって、２つの端部分を有する前記バンド、貫通開口部を有する剛性の基盤本体、及び前記開口部内に挿入されうるところの保持用構成要素を備えている上記用具において、保持用構成要素は、可撓性のバンドの前記対向する端部分の通過のための中央穴を備え、少なくとも部分的に絞り得るくさび形の形状であり、前記穴は、該構成要素が該開口部内へ挿入されていないときの端部分の自由な通過のための第１断面と、該構成要素が該開口部内に全体的又は実質的に全体的に挿入されるときの圧縮によって前記端部分を閉塞するための第２断面との間で変形しうる断面を有していることを特徴とする上記用具を提案する。
【００１４】
有利な実施態様において、また使用が以下の構成の１以上でなされる：
−  軸の回りに延在する基盤本体で、該開口部は、底辺で第１角度ａを有する第１軸方向平面において等脚台形又は実質的に等脚台形であるところの第１縦方向断面を有しており、そして、保持用構成要素は、底辺で第２角度ｂ＞ａを有する前記第１軸方向平面において等脚台形又は実質的に等脚台形であるところの第２縦方向断面を有している。
【００１５】
「実質的に台形の」とは、幾何学的形状の断面を意味しており、そこでは台形の側面は台形内に刻まれた、必ずしも真直ぐではない、又は直線によって（例えば鋸歯状であることによって）形成された外面を有している。
−  保持用構成要素は、２つの反対向きの主縦方向壁及び２つの反対向きの長手方向端部壁を備え、前記端部壁の部分に配設されているところの連続スリットを備える長手方向端部壁の各々は、穴に対して開かれ、且つ該構成要素の上方面に開いている。
【００１６】
スリット又は切込みは、力での該開口部内への該構成要素の導入の間、該構成要素の締め付けを促進し、一方同時に、可能な限り広い穴を初めから許容し、そのことは、圧縮の前にバンドの端部が導入されそして通過されることをより易しくする。
−  該開口部の内側面及び該構成要素の外側周辺面は、スナップフィット動作によって相互に予備接続するための手段を備えている。
【００１７】
予備接続のためのこれらの手段は、例えば、本用具の様々な要素が輸送用パッケージ内で離れ、その上探さねばならず、その後介入時に外科医によって一緒にされることを避けるために、本用具の予備的アセンブリを可能にする元に戻らない手段としての役割を持っている。
−  該本体の該開口部の内側面及び該構成要素の外側周辺面は、該構成要素が該開口部内に挿入されるとき、該構成要素を該本体に対して閉塞するためのシステムを構成する手段を有する。
−  該穴及び該構成要素の各々は、該開口部についての２つの反対向きの内側縦方向面及び該構成要素についての２つの反対向きの外側周囲縦方向面を規定する対称の縦方向平面をそれぞれ有し、各反対向きの面は、該構成要素が該開口部内に挿入されるとき、該構成要素を該本体に対して固定しかつ閉塞するために、少なくとも１つの歯又は隆起部を備える少なくとも１つの部分を有する。
【００１８】
これら固定用手段は、要素の相互に対する配置における予備的位置決めを可能にする。それはそれらが当業者に公知のデザインの補助の把持用鉗子によって容易に圧縮されることを可能にする。
【００１９】
それらは同様に、該構成要素が該本体に挿入されるとき、該構成要素の及び該本体の解体を防止するところの、元に戻らないシステムを構成する。
−  該構成要素の該外側周囲縦方向面は、くさび形状を与えるために対称の平面に対して少なくとも部分的に傾斜させられている。
−  該穴は、楕円形状の断面を有し、かつ２つの対向する主壁を有し、少なくとも１つの主壁は、その内側面上に、少なくとも１つの内側に突出する横方向隆起部を含む。有利に、それは、高さをずらされた２つの対向する隆起部を備えている。
−  内側に突出する横方向隆起部は、該穴の上方縦部分に置かれている。
−  該穴および保持用構成要素は、該構成要素が該開口部内に挿入されるときに、それらの対向する部分の少なくとも１つの、第１縦平面に垂直な方向への摩擦によって協働するように設計された形状である。
−  該構成要素は、該穴によって中空にされた、一般的に楕円形状のコア部を有し、コア部は、くさびを形成する２つの対向する傾斜した主壁及び軸の回りに延在する２つの端部壁を備え、それら壁の面は、該開口部の対応する窪み部分と縦方向に協働するように配設されており、主壁と端部壁との間の接続部の厚さは、該構成要素の該開口部内への挿入の間、縦方向への変形なしに横方向への絞りによって変形を可能にするために、減らされている。
【００２０】
そのような配置は、第１平面に垂直な別の平面における変形／膨張なしに優れた案内容量を保持しながら、該構成要素が１つの平面内においてくさびの望まれた方向に変形することを可能にする。
【００２１】
有利には、軸の周りに延在している端部壁は、それぞれ、締め付けを促進するためその高さの部分に沿った少なくとも１つの横方向スリットを備えている。
−  基盤本体はチタンで作られ、保持用構成要素はポリマーで作られ、そして可撓性のバンドはポリマーの編み紐である。
【００２２】
本発明はまた、平坦かつ可撓性のバンドを少なくとも１つの骨部分に取り付けるための方法であって、２つの端部分を備える前記バンド、貫通開口部を有する剛性の基盤本体、及び前記開口部内に挿入されうるところの保持用構成要素を含む上記方法において、絞り得るくさび形状であり、可撓性のバンドの前記対向する端部分の通過のための中央穴を有する保持用構成要素で、バンドの端部分は該開口部内へかつ該穴内へ導入され、該構成要素は該開口部内に部分的に（予め又は引き続き）接続されること、ここで、バンドは骨部分の周りを通され、別の端部分は、該開口部及び該穴を貫通して通され、こうして、前記骨部分を把持するためのループを形成すること、ここで、ループは、２つの端部分を引っ張ることによって望まれたサイズへ絞られ、そして前記構成要素は、力で該開口部内へ挿入され、前記端部分が該穴内で圧縮によって閉塞されるところの位置を得るために該穴を変形すること、次に該構成要素は可塑的に変形されること、を特徴とする、上記方法に関係する。
【００２３】
有利には、関節固定の手術の場合に、少なくとも２つの隣接する椎骨が共に結合される。
【００２４】
これをするために、バンドの端部分は、基盤本体及び該構成要素を通過させられ、平坦なバンドは、２つの椎骨の周りに置かれ（又は椎骨の周りでバンドの残りでループを形成し）、そしてもう一方の端部分が該開口部及び該穴を通過させられ、椎骨は、端を引っ張ることによって近くに持ってこられ、そして取り付けは、該構成要素を力で該本体内に望まれた位置に挿入することによって閉塞され、その後、バンドの余剰の端位置を切断する。
【００２５】
本発明は、これに限定しない例としてこれ以降に与えられた実施態様の次の記載を読むことで一層良く理解されよう。
【００２６】
記載は、添付の図面を参照してなされる。
【図面の簡単な説明】
【００２７】
【図１Ａ】本発明の１実施態様による、保持用構成要素を基盤本体内に挿入する前の用具の斜視図である。
【図１Ｂ】本発明の１実施態様による、保持用構成要素を基盤本体内に完全に挿入した後の用具の斜視図である。
【図２】図１の保持用構成要素の斜視図である。
【図２Ａ】図２の断面IIA−IIAである。
【図２Ｂ】図２の保持用構成要素の挿入前の平面図である。
【図２Ｃ】図２の保持用構成要素の挿入後の平面図である。
【図３】本発明の別の実施態様による構成要素の長手方向軸の断面図である。
【図４】図１の基盤本体の斜視図である。
【図４Ａ】図４の基盤本体のIVA-IVAに沿った断面図である。
【図４Ｂ】図４の基盤本体の平面図である。
【図５】図１による用具であって２つの隣接する椎骨上に置かれた場合の概略の側面図である。
【図６】本発明の別の実施態様によるスリットを有する構成要素を示す概略の斜視上面図である。
【発明を実施するための形態】
【００２８】
図１Ａ及び１Ｂは、少なくとも１つの骨部分上に平坦で且つ可撓性のバンド２に取り付けるための用具１を示す。
【００２９】
バンド２は、例えば編まれたポリエステル、例えば１〜３ｍｍの厚さ及び６ｍｍの幅を有するポリエステルで作られており、そして骨部分３、例えば椎骨の横突起又は棘突起上に取り付けるためのループ４を有している
【００３０】
ループ４は、バンドの２つの端部分２’及び２”を一緒に持ってくることによって形成される。
【００３１】
用具１は、剛性のプラスチック材料で作られこともできるが、剛性の基盤本体５（例えばチタンで作られた）を備える。
【００３２】
該本体５は、軸６の周りに延在する。それは、縁７を有する実質的に平行六面体又は直方体状であり、その縁７は、補助的鉗子の顎によってそれが把握されることを可能にする２つの側面窪み部１０を形成するために、例えば丸められ、例えば広げられた上部部分８及び横方向に狭くされた下部部分９を有する。
【００３３】
該本体５は、実質的に長方形の断面を有し、そして図４〜４Ｂを参照して詳細に説明されようところの貫通開口部１１を備えている。
【００３４】
該用具１はさらに、構成要素１２を備えており、この構成要素１２は、図２及び２Ａ〜２Ｃを参照して詳細に説明されるように、バンド２を保持するために役立ち且つ例えばプラスチック材料で作られ、そして少なくとも部分的にくさび形状（すなわち角柱又は実質的に角柱形状を有する）である。
【００３５】
構成要素１２は、バンドの両端２’、２”の通過のために、それを通り抜ける穴１３を有し、上記穴１３は断面を有し、該断面は、構成要素１２が実際の圧縮をもって開口部に挿入されないときに（図１Ａ）、端部分の自由な通過のための第１断面Ｓ１と、構成要素が自由に開口部１１に挿入されるとき（図１Ｂ）、圧縮により端部分を閉塞させるための狭い断面Ｓ２との間で変形可能である。
【００３６】
図２を参照すると、構成要素２は、長方形又は実質的に長方形である水平断面を有し、且つ長手方向平面Ｐに対して対称的な壁１５を有する二等辺台形又は実質的に二等辺台形である形状を有する（切断面IIA-IIAに沿う）縦方向垂直断面を有し、外側（歯１６）上の周辺に一様に鋸歯状歯を有する、第１中央部分１４を有する。
【００３７】
歯１６（例えば数で７個）は、鋭角を有する（うろこ状の）三角形状の（その頂点は上に向けられ、又は水平である）長手方向隆起部によって形成される。
【００３８】
構成要素の下方の歯又は下方の複数の歯及び本体の開口部の１以上の上方の歯は、スナップフィット動作によって相互に対する事前接続の手段を形成する。
【００３９】
構成要素１２は、長円形断面の壁を有する半円筒形又は実質的に半円筒形の、切断面IIA-IIA１８に対して対称的であるところの２つの端部部分１７をさらに有する。その長円形構成は、外側を向き、そして見られるように、開口部１１の対向する壁と協同するように設計されている。
【００４０】
図２及び２Ｂに示されたように、構成要素１２の壁１５及び１７は、固形で不連続性を有しない。
【００４１】
台形の断面は、底辺ｂ（台形の短い底辺に対して）からの角度を有する。
【００４２】
複数の壁１５の間の角度（２ｂ−１８０°に対応）は、好ましくは１０〜３０°の間である。
【００４３】
より詳細には、図２Ｂおよび２Ｃを参照すると、穴１３は、長方形状（ネコの舌のような）の水平断面を有しており、それは断面形状Ｓ１（図２Ｂ）と中央部で狭められた断面形状Ｓ２（図２Ｃ）の間で変形する。
【００４４】
穴１３は、２つの対向する平面主壁１９を備えており、各々は、それらの内側面上に横方向隆起部２０を備えており、上記複数の横方向隆起部２０は、相互に高さにおいてズレており、そしてその端部で細かな先端面取り部で終わる正方形又は長方形断面を有し、それは、挿入後、端部２’、２”のより良い閉塞を許容し、部材の２つの端部縁１９の間の間隔ｄは、圧迫の前に、バンド２の上記端部の自由な通過を許容する。
【００４５】
穴１３の寸法は、一般にバンドの寸法に適合される。
【００４６】
特に、間隔ｄと、断面Ｐに沿う穴の長さとは、バンドの２つの端部が相互に平坦に置かれるように選択される。実際、バンドの複数の端部の間のどのようなオフセットも、用具１内のバンドの締め付けを正すのに有害である。
【００４７】
実際、間隔ｄは、バンドの厚さの２倍よりもわずかに大きく、そして穴の長さは、バンドの幅よりもわずかに長い。
【００４８】
特にここで記載される該実施態様において、構成要素１２は、第１中央部分１４及び端部部分１７によって、形成された穴１３によって中空にされているコア部２１を有する。
【００４９】
それは反対方向の主壁１５を有し、その外側面は、傾斜しており、且つ摩擦によって開口部と共同するように設計されている２つの丸められた端部壁１７によって結合された楔型を形成する。このことは以下で説明されよう。
【００５０】
主壁と端部壁１７との間の結合部２２の厚さｅは、構成要素の開口部内への挿入の間（図２Ｃと比較せよ）、長手方向（矢印２４）における変形なしに、横方向（矢印２３）における押し込みによる変形を許容するために、より薄い（例えば２倍薄い）。
【００５１】
図３は、構成要素２５の別の実施態様を断面において示しており、その主壁２６は、それらの外側面２９上の底端部２８（台形の上底）で唯一の歯２７そして穴３３の内側面３２上の上側部分３１内に単一隆起部３０を有する。
【００５２】
図４、４Ａ、及び４Ｂは、構成要素１２と共に用いられる基盤本体５を示す。
【００５３】
基盤本体５は、実質的に平行六面体であり、貫通開口部を有する。
【００５４】
貫通開口部は、２つの内側主縦方向部分３４を有しており、該内側主縦方向部分３４は、平面３５（断面IVA-IVAの軸方向平面）に垂直な軸方向平面に対して対称的であり、平面３５は、構成要素の壁１５の外側面のそれらと相補的な形状の、同一又は類似の数の歯３６又は窪みを有する、底辺に対する角度ａをもつ台形縦方向断面を有する（図４Ａと比較せよ）。
【００５５】
本発明は、この実施態様に限定されず、そして、構成要素と本体との予備的接続を保証するために、又は別に本体内での構成要素の閉塞のために、開口部１１の内側面上に及び構成要素１２の外側面上に備えられ相補的な形状の全ての手段をカバーする。
【００５６】
開口部はさらに、相補的な形状（すなわちより具体的に記載された実施態様においては半円形又は半円内側断面を有する）であることによって構成要素の壁１７の外側面と少なくとも部分的に協働するように設計されているところの２つの端部壁３７を有する。
【００５７】
依然としてこの記載された実施態様において、湾曲した形状であり且つ壁の厚みのために構成するところの端部壁は、中間壁３８によって主壁へ結合され、それは挿入後、窪み部３９（図１Ｂを見よ）を残すだろう。
【００５８】
より特には図１Ａ、１Ｂ及び図５を参照して、如何にして２つの椎骨４２、４３の骨部分４０及び４１が、より特に記載された実施態様による本用具によって相互に固定されるかをこれ以降に記載するだろう。
【００５９】
２つの骨部分４０及び４１の回りにループ形状におけるバンドを通した後、外科医は、端部分２及び２’を本体の開口部１１内に、次に穴１３内に導入し、及び／又は、もしそれらが既にお互いに予め接続されていると、同時に両方内に導入する。
【００６０】
本体及び構成要素は、次に公知のタイプのクランプ用具を用いて２つの骨部分の方へ（矢印４４の方向に）動かされる。端部の間の摩擦は、ループを備える本用具を望まれた感覚で予め配置するのに十分である。
【００６１】
一度、手術者によって望まれた位置が得られると、次に手術者は、窪み部１０を押すことによって、構成要素の上側面４５を、本体の上面４６と平坦になるまで動かすような方法で、構成要素を力でもって本体内に挿入する。
【００６２】
力によるこの挿入は、構成要素の可塑的な又は永続的な変形を引き起こす。
【００６３】
構成要素の歯及び本体の歯は、その後お互いに係合され、そして閉塞システム又はそれらの分解を妨害する元に戻れないシステムを形成する。
【００６４】
ポリマー材料で作られた構成要素はバンドを損傷しないこと、及びチタンで作られた本体はクランプ動作の効率を強化することが見出された。
【００６５】
余分な端部分は次に切断され、そして患者の背中は閉じられる。
【００６６】
図６は、本発明による構成要素４７の別の実施態様を示し、その２つの端部壁１７は、それぞれさらに構成要素の高さＨよりも低い高さｈ１（例えば０．５〜０．８Ｈの間）に沿ってスリット４８を備えている。
【００６７】
それぞれのスリット４８は、対応する壁１７を貫いて延在し、そして構成要素４７の上側面４５に開いており、それは、本体の開口部に押し込まれるとき、構成要素の引き締め（矢印４９）を可能にする。
【００６８】
２つのスリット４８は、構成要素が本体に挿入されたとき、構成要素４７の変形を案内すること及び構成要素のねじれ又はゆがみの危険を回避することを可能にする。
【００６９】
このようにして、構成要素は、中実の若しくは連続の壁、又はスリットを有するせいぜい２つの壁を有し、これら２つの壁はお互いに対向している。
【００７０】
理解されるように、そして上記から明白であるように、本発明は、より具体的に記載された実施態様に限定されるものではない。実際、それはそれら実施態様のあらゆる変更、特に、あらゆる要素がチタンで作られているもの、又は対照的に、生体適合性のプラスチックで作られているものを含んでいる。
【図１Ａ】
0006613310.tif 000002
【図１Ｂ】
0006613310.tif 000003
【図２】
0006613310.tif 000004
【図２Ａ】
0006613310.tif 000005
【図２Ｂ】
0006613310.tif 000006
【図２Ｃ】
0006613310.tif 000007
【図３】
0006613310.tif 000008
【図４】
0006613310.tif 000009
【図４Ａ】
0006613310.tif 000010
【図４Ｂ】
0006613310.tif 000011
【図５】
0006613310.tif 000012
【図６】
0006613310.tif 000013